(57)【特許請求の範囲】
【請求項１】
床近傍に配置されて被収納物を収納可能なスライド式の引出を少なくとも備える収納庫であって、
前記引出を収容する本体部は、その両側面において該両側面の前縁の下端から下縁に至るまで後方に向かって傾斜する傾斜部を有し、
前記引出の前面に配置される前板は、側面視において前記本体部の前縁に沿う正面部と、該正面部に連続して後方に向かう屈曲部と、該屈曲部に連続し且つ前記傾斜部に沿う蹴込み部とを有し、
前記前板の表面は、前記屈曲部よりも上方の正面部には梨地加工が施されていて、該屈曲部よりも下方の蹴込み部には前記引出の幅方向に平目のローレット加工が施されていることを特徴とする収納庫。
【請求項２】
前記屈曲部は、前記正面部と同じ梨地加工が施されていることを特徴とする請求項１に記載の収納庫。
【請求項３】
前記前板の上縁にはフランジ状の把手部が設けられていて、
前記前板は、アルミニウム系金属の押出成形材であって、前記正面部、前記屈曲部、前記蹴込み部および前記把手部が一体成型されていることを特徴とする請求項１または２に記載の収納庫。
【発明の詳細な説明】
【技術分野】
【０００１】
本発明は、被収納物を収納可能なスライド式の引出を備える収納庫に関する。
【背景技術】
【０００２】
キッチンには、調理器具や調理材料、食器などを収納しておくために、多くの収納スペースが設けられている。このため天板（システムキッチンにおいてはワークトップ）の下には、引出や開き戸を備える収納庫が設けられるのが通常である。特に近年では、収納庫の最下段の引出（以下、足下収納庫と称する。）の下端を床面の直上まで延長し、かかる引出ひいては収納庫全体の収納スペースの拡大を図っている（例えば特許文献１）。
【０００３】
また一般的に、収納庫と床面との間には、収納庫後方に奥まった空間である蹴込みが設けられる。従来では、収納庫において引出を収容する本体部を、それよりも奥行きが浅く作られた台輪の上に載置することにより蹴込みを設けていた。これに対し、特許文献１のような足下収納庫を有する収納庫では、その本体部を構成する側板の下部を四角く切り欠き、且つかかる足下収納庫の前面において床面に近い箇所を側板の切欠に対応するように収納庫後方に凹ませることにより蹴込みを設けている。
【先行技術文献】
【特許文献】
【０００４】
【特許文献１】特開２００２−２８２０７０号公報
【発明の概要】
【発明が解決しようとする課題】
【０００５】
ところで、キッチンは、調理時に水や油がはねること等により、天板（ワークトップ）だけでなく、その前面、すなわち収納庫の前板にも汚れが付着することが多い。この汚れの問題は、天板から離れた下方にある足下収納庫についても同様である。このため、足下収納庫の前板には高い清掃性が求められる。
【０００６】
また他の課題として、キッチンでは、清掃時に掃除機等が当たることにより、足下収納庫の前板に傷が入ることがある。このため、蹴込みに足下収納庫を設ける場合、足下収納庫は傷に耐える構成にする必要がある。
【０００７】
高い清掃性を得るために例えば表面エネルギーの低いコーティングや親水性塗装を施したり、傷つきにくくなるように硬度の高いコーティングやラミネートをすることも考えられる。しかしながらシステムキッチンは主に家庭で用いられるものであるから、潜在的に低価格で提供する要請がある。すると製造側には、品質や機能を向上させつつ低コスト化を図ることが命題として課せられている。
【０００８】
本発明は、このような課題に鑑み、傾斜部によって蹴込みを形成する場合であっても、床近傍に配置される収納庫の前面において、清掃性が高く、傷が目立ちにくく、かつ低コストで製造することが可能な収納庫を提供することを目的としている。
【課題を解決するための手段】
【０００９】
上記課題を解決するために、本発明にかかる収納庫の代表的な構成は、床近傍に配置されて被収納物を収納可能なスライド式の引出を少なくとも備える収納庫であって、引出を収容する本体部は、その両側面において両側面の前縁の下端から下縁に至るまで後方に向かって傾斜する傾斜部を有し、引出の前面に配置される前板は、側面視において本体部の前縁に沿う正面部と、正面部に連続して後方に向かう屈曲部と、屈曲部に連続し且つ傾斜部に沿う蹴込み部とを有し、前板の表面は、屈曲部よりも上方の正面部には梨地加工が施されていて、屈曲部よりも下方の蹴込み部には引出の幅方向に平目のローレット加工が施されていることを特徴とする。
【００１０】
上記構成によれば、床近傍の引出の前板において、収納庫の前面となる正面部に梨地加工が施されているため、その領域はほぼ平滑であり付着した汚れを容易に拭き取ることが可能である。また梨地加工であることにより、鏡面のように平滑な表面と比べれば汚れが目立ちにくい。したがって、高い清掃性を得ることができる。一方、屈曲部よりも下方の蹴込み部には、ローレット加工が施されているため、その領域は凹凸を有することとなる。したがって、その領域に掃除機やつま先などが衝突しても凸部の先端に傷が付くだけであり、使用者から観察されるのは凸部の側面であるため、傷を目立たなくすることが可能となる。
【００１１】
上記の屈曲部は、正面部と同じ梨地加工が施されているとよい。引出の前板において屈曲部のアール（曲率半径）が大きい場合、すなわち屈曲部が角張っておらず、湾曲している領域である場合には、屈曲部の正面にも観察可能な面積が大きくなる。ここで、キッチンにおいて床近傍の引出は使用者が上方から急角度で見下ろすことになるため、屈曲部までは観察されるが、蹴込み部は観察されにくい。そこで、ローレット加工は蹴込み部のみとし、屈曲部には正面部と同様の梨地加工をすることにより、ローレット加工が目立つことなく、美観の向上を図ることができる。
【００１２】
上記の前板の上縁にはフランジ状の把手部が設けられていて、前板は、アルミニウム系金属の押出成形材であって、正面部、屈曲部、蹴込み部および把手部が一体成型されているとよい。
【００１３】
上記のように前板の各部を一体成型することにより、その製造が容易であり、且つ部品点数を削減すると同時に組立作業が不要となる。また押出成形材とすることにより、切断位置の変更によって横幅の寸法が異なる複数の収納庫に対応可能となる。したがって、かかる複数の収納庫の前板を同一の金型で製造可能となるため、金型コストひいては部品コストを削減することができる。
【発明の効果】
【００１４】
本発明によれば、傾斜部によって蹴込みを形成する場合であっても、床近傍に配置される収納庫の前面において、清掃性が高く、傷が目立ちにくく、かつ低コストで製造することが可能な収納庫を提供することができる。
【図面の簡単な説明】
【００１５】
【図１】本実施形態にかかる収納庫を備えるキッチンを示す図である。
【図２】本実施形態にかかる収納庫であるベースキャビネットの本体部の斜視図である。
【図３】図２の本体部の分解斜視図および正面図である。
【図４】本実施形態にかかる足下収納庫の詳細を示す図である。
【図５】足下収納庫の前板の３面図である。
【発明を実施するための形態】
【００１６】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１７】
（キッチン）
図１は本実施形態にかかる収納庫を備えるキッチンを示す図である。キッチン１００は一枚の天板１１０（ワークトップ）の下に複数の収納庫（キャビネット）を備えた、いわゆるシステムキッチンである。天板１１０は合成樹脂（人工大理石）やステンレスなどからなり、キッチン１００の全体の上面を覆っている。また天板１１０には、組み込み式に取り付けられたコンロ１１２、平坦なテーブル面であり主に調理を行うのに利用される調理スペース１１４、天板１１０に一体形成されたシンク１１６が設けられる。
【００１８】
天板１１０の下は、コンロ１１２本体が設置されているコンロキャビネット１２０と、調理スペース１１４に対応したベースキャビネット１３０と、シンク１１６が設置されているシンクキャビネット１４０といった各収納庫で構成される。各収納庫は収納スペースとして機能し、収納庫内の空きスペースには、コンロ１１２への配線や、シンク１１６および水栓への給排水管なども収容されている。このように、天板１１０の下では、天板１１０の上のシンク１１６やコンロ１１２といった各構成に対応した収納庫がその高さおよび奥行きを等しくして複数設けられている。
【００１９】
各収納庫は、被収納物を収納するために、様々な大きさのスライド式の引出を設けている。コンロキャビネット１２０は、上部にコンロ１１２のグリル１１２ａおよび操作パネル１１２ｂを備え、その脇には調味料などの小物を収納するための小さな引出であるスパイスボックス１２２が配設されている。コンロキャビネット１２０の中央部（グリル１１２ａの下）には幅の広い大きな引出１２４が配設され、鍋やボウルなどの比較的大きな調理器具を収納することが可能になっている。またコンロキャビネット１２０の下部の床近傍（最下段）には、スライド式の引出（足元収納）である足下収納庫１２６が配設されている。同様に、ベースキャビネット１３０には複数の引出１３２、１３４、および足下収納庫１３６が配設され、シンクキャビネット１４０には引出１４４、および足下収納庫１４６が配設されている。
【００２０】
（収納庫）
次に、本実施形態の特徴である収納庫について説明する。なお、以下の説明では、上述したコンロキャビネット１２０、ベースキャビネット１３０、シンクキャビネット１４０のうち、ベースキャビネット１３０を例示するが、本発明はコンロキャビネット１２０およびシンクキャビネット１４０にも適用可能である。
【００２１】
図２は、本実施形態にかかる収納庫であるベースキャビネット１３０の本体部の斜視図であり、理解を容易にするために、図１の本体部から引出１３２および１３４、ならびに足下収納庫１３６を取り外した状態を示している。図３は、図２の本体部の分解斜視図および正面図であり、図３（ａ）は図２の本体部の分解斜視図であり、図３（ｂ）は図２の本体部の正面図である。
【００２２】
ベースキャビネット１３０は、引出１３２および１３４、足下収納庫１３６（図１参照）、ならびにそれらを収容する本体部２００を備える（図２参照）。図３（ａ）に示すように、本体部２００の右側面２００ａおよび左側面２００ｂ（以下、これらを総じて両側面と称する。）、背面２００ｃは、ステンレス製の板状部材をコの字状に折り曲げることにより一体に形成される。このように本体部２００をステンレス製（金属製）とすることにより、高級感や耐久性が得られ、両側面および背面２００ｃを１枚板で構成することにより、部材数の削減、ひいてはそれらの組立工数の削減が可能となる。
【００２３】
本体部２００の両側面の前縁２０２ａおよび２０２ｂの上部には、かかる両側面および背面２００ｃとは別部材からなるステンレス製の前板が前面２００ｄとして取り付けられる。また両側面および背面２００ｃの下縁２０４ａおよび２０４ｂにはステンレス製の底板が底面２００ｅとして取り付けられる。これにより、本体部２００が図２に示す状態となる。
【００２４】
なお、本実施形態においては、コの字状に折り曲げたステンレス製の１枚板により両側面および背面２００ｃを構成したが、かかる構成は一例であり、少なくとも両側面がステンレス製の板状部材によって形成されていればよい。また背面２００ｃ、前面２００ｄおよび底面２００ｅにもステンレス製の板状部材を用いることとしたが、これに限定するものではない。しかし、かかる構成によれば、素材の統一感が得られるため高い意匠性が得られたり、ベースキャビネット１３０を廃棄する際の分別作業が容易になったりするという利点を得ることができる。
【００２５】
図３（ｂ）に示すように、本体部２００の両側面の内側には、高さ方向においてレール２１０ａ〜２１０ｆが左右一対に取り付けられている。これにより、引出１３２および１３４や足下収納庫１３６（図１参照）の側面に設けられたプーリ（不図示）をレール２１０ａ〜２１０ｆに挿入して、引出１３２および１３４や足下収納庫１３６をスライド可能となる。
【００２６】
また図２および図３（ｂ）に示すように、本体部２００の両側面の外側には、レール２１０ａ〜２１０ｆに対応する位置に、高さ方向においてネジ受けプレート２２０ａ〜２２０ｆが左右一対に取り付けられている。これにより、両側面を構成する板状部材の厚みを低減した場合であっても、十分な強度をもってレール２１０ａ〜２１０ｆをかかる両側面に取り付けることが可能となる。
【００２７】
更に本実施形態では、図３に示すように、本体部２００の右側面２００ａには、その前縁２０２ａの下端から下縁２０４ａに至るまで後方に向かって傾斜する傾斜部２０６ａが形成されている。同様に、本体部２００の左側面２００ｂには、その前縁２０２ｂの下端から下縁２０４ｂに至るまで後方に向かって傾斜する傾斜部２０６ｂが形成されている。かかる構成により、本体部２００の両側面と一体に蹴込み１０２（図１参照）を設けることができるため、従来のように台輪（台座）によって蹴込みを設ける構成と比して部品数や組付け工数の削減を図ることができる。また傾斜部２０６ａおよび２０６ｂによって蹴込み１０２を形成すれば、従来のように四角い切欠によって蹴込みを形成する場合と比して荷重が集中する箇所が生じづらいため、撓みの発生ひいては板状部材（金属板）の変形を抑制することができる。
【００２８】
なお、上述した傾斜部２０６ａおよび２０６ｂには、そこを補強するための補強部材２３０（図２参照）を配置することが好ましい。これにより、右側面２００ａの前縁２０２ａおよび左側面２００ｂの前縁２０２ｂからの荷重（ベースキャビネット１３０の本体部２００の上部の荷重）が補強部材２３０を介して下縁２０４ａおよび２０４ｂに伝わり、傾斜部２０６ａおよび２０６ｂへの荷重が軽減される。このため、撓みによる傾斜部２０６ａおよび２０６ｂの変形を抑制可能となり、その強度を十分に確保することができる。したがって、傾斜部２０６ａおよび２０６ｂによって蹴込み１０２を本体部２００と一体に形成した場合であっても、本体部２００の両側面となる板状部材の板厚を低減することが可能となる。
【００２９】
上述したように本体部２００に傾斜部２０６ａおよび２０６ｂを設けると、ベースキャビネット１３０の最下段の引出、すなわち床近傍に設けられる引出である足下収納庫１３６は、以下に説明するように、本体部２００の傾斜部２０６ａおよび２０６ｂに追従する形状となる。なお、以下の説明では、上述した足下収納庫１２６、１３６および１４６のうち、足下収納庫１３６を例示するが、足下収納庫１２６および１４６にも適用可能である。
【００３０】
（足下収納庫１３６）
図４は、本実施形態にかかる足下収納庫１３６の詳細を示す図であり、図４（ａ）は足下収納庫の正面斜視図１３６であり、図４（ｂ）は図４（ａ）の背面斜視図であり、図４（ｃ）は図４（ａ）のＡ−Ａ断面図である。図５は足下収納庫の前板３０２の３面図である。なお、図４（ｃ）では足下収納庫１３６の左側を例示して説明するが、右側についても左右対称に同様の構成であることは言うまでもない。
【００３１】
図４（ａ）および（ｂ）に示すように、足下収納庫１３６は、その前面を構成する前板３０２、側面を構成する２枚の側板３０４ａおよび３０４ｂ、底面を構成する底板３０６、および背面を構成する背板３０８を備える。本実施形態において、前板３０２は接続部材３１０ａおよび３１０ｂによって側板３０４ａおよび３０４ｂと接続される。接続部材３１０ａおよび３１０ｂは、前板３０２の端面（不図示）を覆うと共に側板３０４ａおよび３０４ｂの前端が接続され、これにより、前板３０２と側板３０４ａおよび３０４ｂとが接続される。なお、かかる構成に限定するものではなく、接続部材３１０ａおよび３１０ｂを設けずに前板３０２と側板３０４ａおよび３０４ｂとを直接接続する構成としてもよい。
【００３２】
図４および図５に示すように、前板３０２は、その側面視において上方から順に、本体部２００（図３（ａ）参照）の前縁２０２ａに沿う正面部３０２ａ、正面部３０２ａに連続して後方に向かう屈曲部３０２ｂ、および屈曲部３０２ｂに連続し且つ傾斜部２０６ａに沿う蹴込み部３０２ｃを有する。このように、足下収納庫１３６が、本体部２００の右側面２００ａおよび左側面２００ｂの前縁２０２ａおよび２０２ｂならびに傾斜部２０６ａおよび２０６ｂに沿う形状を有することにより、ベースキャビネット１３０の前方に蹴込み１０２が形成され、キッチン１００での作業時における使用者の足とベースキャビネット１３０（足下収納庫１３６）との干渉を避けることができる。
【００３３】
本実施形態において、上述した前板３０２の上縁には、その正面部３０２ａに連続するフランジ状の把手部３０２ｄ（図４（ｃ）参照）が設けられている。この把手部３０２ｄと、前板３０２の正面部３０２ａ、屈曲部３０２ｂおよび蹴込み部３０２ｃとは一体成型されているとよい。これにより、製造が容易になり、且つ部品点数を削減すると同時に組立作業が不要になるという利点が得られる。また前板３０２はアルミニウム系金属の押出成形材であるとよい。これにより、切断位置の変更によって横幅の寸法が異なるコンロキャビネット１２０の足下収納庫１２６やシンクキャビネット１４０の足下収納庫１４６（複数の収納庫）の前板を同一の金型で製造可能となる。したがって、金型コストひいては部品コストを削減することができる。
【００３４】
なお、足下収納庫１３６の内部には、蹴込み部３０２ｃの後端近傍で上方に向かって立設する仕切板３２０（図４（ｂ）および（ｃ）参照）を設けるとよい。これにより、足下収納庫１３６において、蹴込み部３０２ｃの上方の空間１３６ａと、それ以外の空間１３６ｂ（蹴込み部３０２ｃよりも後方の空間）とが仕切板３２０によって仕切られるため、蹴込み部３０２ｃの上方の空間１３６ａをポケットとして利用し、被収納物（不図示）を収納することができる。したがって、前板３０２において、本体部２００の傾斜部２０６ａおよび２０６ｂに沿う蹴込み部３０２ｃが斜面になっている（平坦な底面となっていない）場合であっても、蹴込み部３０２ｃの上方の空間１３６ａを有効活用することが可能となる。
【００３５】
上記説明したように、本体部２００に傾斜部２０６ａおよび２０６ｂを設け、かかる傾斜部２０６ａおよび２０６ｂに沿う蹴込み部３０２ｃを足下収納庫１３６に設けることにより、ベースキャビネット１３０と一体に蹴込み１０２を形成しつつ、従来のように四角い切欠によって蹴込みを構成した場合と比して、本体部２００の両側面の変形を抑制することができる。
【００３６】
しかしながら、本実施形態のようにベースキャビネット１３０と一体に蹴込み１０２を形成すると、清掃時に掃除機等が足下収納庫１３６にぶつかり、前板３０２において蹴込み１０２に対応する領域である蹴込み部３０２ｃ（蹴込み１０２の側面）の表面に傷が入ることがある。故に、ベースキャビネット１３０と一体に蹴込み１０２を構成する場合、蹴込み部３０２ｃに入った傷を目立たなくなるようにする必要があった。一方、キッチン１００では、調理時に水や油がはねること等により、天板１１０のみならずベースキャビネット１３０（収納庫）の前板３０２（特にその正面部３０２ａ）にも汚れが付着することが多いため、前板３０２の正面部３０２ａには高い清掃性が求められる。
【００３７】
そこで、本実施形態の特徴として、足下収納庫１３６の前板３０２に、屈曲部３０２ｂを境界として、正面部３０２ａおよび蹴込み部３０２ｃの各々の表面に機能的な加工が施す。
【００３８】
（前板３０２）
詳細には、前板３０２の表面のうち、屈曲部３０２ｂよりも上方の正面部３０２ａには梨地加工が施される。梨地加工とは、ブラスト処理等によって被処理体の表面を粗化し、かかる表面を、ほぼ平滑でありつつも、梨の表面のようにざらつきを有する質感にする加工である。ベースキャビネット１３０（収納庫）の前面となる正面部３０２ａの表面にこのような梨地加工を施すことにより、鏡面加工を施した場合よりも汚れが付着しにくく、且つ付着した汚れを容易に拭き取ることが可能であるため、高い清掃性が得られる。
【００３９】
一方、前板３０２の表面のうち、屈曲部３０２ｂよりも下方の蹴込み部３０２ｃには、足下収納庫１３６（引出）の幅方向に平目のローレット加工が施される。ローレット加工とは、表面に浅い線状の凹凸（溝や条）を平行に形成する加工である。一般にローレット加工としては、平行線を交差させた形状も含まれるが、本実施形態では交差させていない形状としている。ベースキャビネット１３０（収納庫）の蹴込み１０２となる蹴込み部３０２ｃの表面にこのようなローレット加工を施すことにより、平坦な領域が減るために掃除機などが衝突しても凸部の先端に傷が付くだけであり、使用者から観察されるのは凸部の側面であるため、傷を目立たなくすることが可能となる。
【００４０】
なお、前板３０２の表面に統一感（連続感）をもたせるためには、かかる表面（正面部３０２ａおよび蹴込み部３０２ｃ）の加工を統一することが好ましいとも考えられる。しかしながら、前板３０２の表面すべてに梨地加工を施した場合、正面部３０２ａにおいては上述した利点が得られるものの、蹴込み部３０２ｃにおいては傷が目立ち易くなり美観を損なうおそれがある。一方、前板３０２の表面すべてにローレット加工を施した場合、蹴込み部３０２ｃにおいては上述した利点が得られるものの、正面部３０２ａにおいては溝部分に入りこんだ汚れが除去しづらいため清掃性が低下する。したがって、前板３０２の表面すべてに梨地加工またはローレット加工を施した場合、正面部３０２ａまたは蹴込み部３０２ｃのいずれか一方においては求められる性能は満たされるものの、他方において求められる性能を満たすことはできない。
【００４１】
故に、上記説明したように本実施形態の収納庫（ベースキャビネット１３０）のように、前板３０２の表面において、正面部３０２ａには梨地加工を、蹴込み部３０２ｃにはローレット加工を施す。これにより、蹴込み部３０２ｃによってベースキャビネット１３０（足下収納庫１３６）と一体に蹴込み１０２を形成する場合であっても、正面部３０２ａに求められる高い清掃性と、蹴込み部３０２ｃに設けられる傷付き防止との両立を達成することが可能となる。
【００４２】
なお、上述した実施形態においては、屈曲部３０２ｂを境界として正面部３０２ａおよび蹴込み部３０２ｃに加工を施したが、足下収納庫１３６（引出）の前板において図４に示すように屈曲部３０２ｂのアール（曲率半径）が大きい場合には、屈曲部３０２ｂにも正面部３０２ａと同じ梨地加工を施すことが好ましい。このような場合、すなわち屈曲部３０２ｂが湾曲している領域である場合、屈曲部３０２ｂの正面にも観察可能な面積が大きくなる。これに対し、キッチンに立って作業をしている使用者は、床近傍の引出である足下収納庫１３６を上方から急角度で見下ろすことになるため、屈曲部３０２ｂより奥まった蹴込み部３０２ｃは観察されにくい。
【００４３】
したがって、屈曲部３０２ｂのアールが大きい場合、換言すれば正面部３０２ａだけでなく屈曲部３０２ｂも使用者に観察可能である場合には、蹴込み部３０２ｃのみにローレット加工を施し、屈曲部３０２ｂには正面部３０２ａと同様の梨地加工をすることにより、ローレット加工が必要以上に目立つことがなく、美観の向上を図ることが可能となる。
【００４４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４５】
本発明は、被収納物を収納可能なスライド式の引出を備える収納庫に利用することができる。
【符号の説明】
【００４６】
１００…キッチン、１０２…蹴込み、１１０…天板、１１２…コンロ、１１２ａ…グリル、１１２ｂ…操作パネル、１１４…調理スペース、１１６…シンク、１２０…コンロキャビネット、１２２…スパイスボックス、１２４…引出、１２６…足下収納庫、１３０…ベースキャビネット、１３２…引出、１３４…引出、１３６…足下収納庫、１３６ａ…空間、１３６ｂ…空間、１４０…シンクキャビネット、１４４…引出、１４６…足下収納庫、２００…本体部、２００ａ…右側面、２００ｂ…左側面、２００ｃ…背面、２００ｄ…前面、２００ｅ…底面、２０２ａ…前縁、２０２ｂ…前縁、２０４ａ…下縁、２０４ｂ…下縁、２０６ａ…傾斜部、２０６ｂ…傾斜部、２１０ａ…レール、２２０ａ…ネジ受けプレート、２３０…補強部材、３０２…前板、３０２ａ…正面部、３０２ｂ…屈曲部、３０２ｃ…蹴込み部、３０２ｄ…把手部、３０４ａ、３０４ｂ…側板、３０６…底板、３０８…背板、３１０ａ、３１０ｂ…接続部材、３２０…仕切板
【図１】
0005484366.tif 000002
【図２】
0005484366.tif 000003
【図３】
0005484366.tif 000004
【図４】
0005484366.tif 000005
【図５】
0005484366.tif 000006